(57)【要約】【課題】補助脇板の折り込み部に接着剤が付着することを防止して、フィルム巻回体の飛び出し防止機能と取り出し容易性を確保する。【解決手段】ラップフィルム収納箱１は、フィルム巻回体Ｒを収納する、前板２０、底板２１、後板２２、脇板２４、及び補助脇板２５を有する上面が開口した直方体状の収納部１０と、収納部１０の上面開口を開閉する蓋部１１と、を有している。補助脇板２５は、脇板２４の内側に配置され、脇板２４と接着剤Ｂにより接着されている。補助脇板２５には、フィルム巻回体Ｒの内側に折り込む折り込み部５０が形成されている。補助脇板２５には、折り込み部５０の少なくとも一部に接着剤Ｂが付着しない、あるいは付着しにくい加工が施されている。【選択図】図４
2015034044.tif 000002
【特許請求の範囲】
【請求項１】
ラップフィルムの筒状のフィルム巻回体を収納する、前板、底板、後板、脇板、及び補助脇板を有する上面が開口した直方体状の収納部と、前記収納部の上面開口を開閉する蓋部と、を有するラップフィルム収納箱であって、
前記補助脇板は、前記脇板の内側に配置され、前記脇板と接着剤により接着され、
前記補助脇板には、前記フィルム巻回体の内側に折り込む折り込み部が形成され、
前記補助脇板には、前記折り込み部の少なくとも一部に前記接着剤が付着しない、あるいは付着しにくい加工が施されている、ラップフィルム収納箱。
【請求項２】
前記接着剤は、前記補助脇板における前記折り込み部より上側に塗布され、
前記補助脇板に対する前記加工は、少なくとも前記折り込み部の上部に施されている、請求項１に記載のラップフィルム収納箱。
【請求項３】
前記折り込み部の外縁は、略水平方向に延設された折り線と、その下側に位置し、前記折り線の両端に繋がる切れ線とより形成され、
前記補助脇板に対する前記加工は、前記折り線を含む領域に施されている、請求項２に記載のラップフィルム収納箱。
【請求項４】
前記補助脇板に対する前記加工は、前記接着剤が接着しない液体を塗布することである、請求項１〜３のいずれかに記載のラップフィルム収納箱。
【請求項５】
前記補助脇板に対する前記加工は、前記折り込み部に凹部を形成すること、又は前記接着剤の塗布領域に凸部を形成することの少なくともいずれかである、請求項１〜３のいずれかに記載のラップフィルム収納箱。
【請求項６】
ラップフィルムの筒状のフィルム巻回体を収納する、前板、底板、後板、脇板、及び補助脇板を有する上面が開口した直方体状の収納部と、前記収納部の上面開口を開閉する蓋部と、を有するラップフィルム収納箱を製造する方法であって、
前記フィルム巻回体の内側に折り込む折り込み部が形成された前記補助脇板に、前記折り込み部の少なくとも一部に接着剤が付着しない、あるいは付着しにくい加工を施す工程と、
前記補助脇板を前記脇板の内側に配置し、前記脇板と接着剤により接着する工程と、を有する、ラップフィルム収納箱の製造方法。
【請求項７】
前記補助脇板に対する前記加工を少なくとも前記折り込み部の上部に施し、
前記接着剤を前記補助脇板における前記折り込み部より上側に塗布する、請求項６に記載のラップフィルム収納箱の製造方法。
【請求項８】
前記折り込み部の外縁は、略水平方向に延設された折り線と、その下側に位置し、前記折り線の両端に繋がる切れ線とより形成されており、
前記補助脇板に対する前記加工を前記折り線を含む領域に施す、請求項７に記載のラップフィルム収納箱の製造方法。
【請求項９】
前記補助脇板に対する前記加工は、前記接着剤が接着しない液体を塗布することである、請求項６〜８のいずれかに記載のラップフィルム収納箱の製造方法。
【請求項１０】
前記補助脇板に対する前記加工は、前記折り込み部に凹部を形成すること、又は前記接着剤の塗布領域に凸部を形成することの少なくともいずれかである、請求項６〜８のいずれかに記載のラップフィルム収納箱の製造方法。
【発明の詳細な説明】
【技術分野】
【０００１】
本発明は、特に食品包装用のラップフィルム、アルミホイル、クッキングシート等（以下、「ラップフィルム」と称す）を巻回したフィルム巻回体を収納するラップフィルム収納箱、及びラップフィルム収納箱の製造方法に関する。
【背景技術】
【０００２】
ラップフィルムは、通常、紙製の芯体に巻回されてフィルム巻回体を構成し、当該巻回体が、紙製の直方体のラップフィルム収納箱に収納されている。このラップフィルム収納箱は、通常前板、底板、後板、脇板、及び補助脇板を有する上面が開口した直方体状の収納部と、当該収納部の上面開口を開閉する蓋部と、を有している。
【０００３】
使用時には、収納部に収容されたフィルム巻回体からラップフィルムを所望長さ引き出し、蓋部の切断刃により切断する。このラップフィルムの引き出し時に、フィルム巻回体が一緒に引っ張られ、ラップフィルム収納箱から飛び出すと、トラブルを引き起こすだけでなく、使い勝手を大きく損なう。よって、フィルム巻回体の飛び出しを防止することは重要である。一方で、使用中にラップフィルムがラップフィルム収納箱内でちぎれる等のトラブルが起こることがあり、そのトラブルを解消するため、フィルム巻回体をラップフィルム収納箱内から容易に取り出せるようにすることも重要である。
【０００４】
特許文献１に記載の技術では、巻回体収納箱の補助脇板に、フィルム巻回体の内部に挿入してフィルム巻回体を支持するための舌片状の支持部材を設けることで、フィルム巻回体の飛び出し防止機能と取り出し容易性を確保している。また、特許文献２に記載の技術では、巻回体収納箱の支持部材の折り線が、前板側を上端とし、後板側を下端とした傾斜を付与することで、飛出し防止機能と取り出し容易性を確保している。
【先行技術文献】
【特許文献】
【０００５】
【特許文献１】特許第４１５５７９２号公報
【特許文献２】特開２０１０−１００２９３号公報
【発明の概要】
【発明が解決しようとする課題】
【０００６】
しかしながら、上記特許文献１及び特許文献２の技術では、ラップフィルム収納箱の組み立て時の問題については考慮されていない。ラップフィルム収納箱の組み立て時には、補助脇板に糊が塗布され、補助脇板が糊によって脇板の内側に接着される。このとき、加工速度によって、糊の塗布位置が数ｍｍ程度上下することがある。また、糊は圧着の強さや重力により延び拡がるため、糊の拡がり方によっては更に数ｍｍ程度糊の付着位置がずれることがある。糊の付着位置がずれると、補助脇板の上記支持部材のようなフィルム巻回体を押さえるための折り込み部に付着する恐れがあり、折り込み部に糊が付着すると、折り込み部を十分に折り込めず、折り込み部の機能が低下し、例えばフィルム巻回体を十分に押さえることができなくなってしまう。特に、補助脇板は、一辺が４〜５ｃｍと小さく、少しでも糊の付着位置がずれると、折り込み部に糊が付く恐れがある。
【０００７】
本発明はかかる点に鑑みてなされたものであり、補助脇板の折り込み部に糊などの接着剤が付着することを防止し、フィルム巻回体の飛び出し防止機能と、取り出し容易性を確保できるラップフィルム収納箱、及びラップフィルム収納箱の製造方法を提供することをその目的とする。
【課題を解決するための手段】
【０００８】
本発明者は、鋭意研究を重ねた結果、補助脇板に対し、折り込み部の少なくとも一部に接着剤が付着しない、あるいは付着しにくい加工を施すことで、上記種々の課題が解決されることを見出し、本発明をなすに至った。すなわち、本発明は下記（１）〜（１０）を提供する。
（１）ラップフィルムの筒状のフィルム巻回体を収納する、前板、底板、後板、脇板、及び補助脇板を有する上面が開口した直方体状の収納部と、前記収納部の上面開口を開閉する蓋部と、を有するラップフィルム収納箱であって、
前記補助脇板は、前記脇板の内側に配置され、前記脇板と接着剤により接着され、前記補助脇板には、前記フィルム巻回体の内側に折り込む折り込み部が形成され、前記補助脇板には、前記折り込み部の少なくとも一部に前記接着剤が付着しない、あるいは付着しにくい加工が施されている、ラップフィルム収納箱。
（２）前記接着剤は、前記補助脇板における前記折り込み部より上側に塗布され、前記補助脇板に対する前記加工は、少なくとも前記折り込み部の上部に施されている、（１）に記載のラップフィルム収納箱。
（３）前記折り込み部の外縁は、略水平方向に延設された折り線と、その下側に位置し、前記折り線の両端に繋がる切れ線とより形成され、前記補助脇板に対する前記加工は、前記折り線を含む領域に施されている、（２）に記載のラップフィルム収納箱。
（４）前記補助脇板に対する前記加工は、前記接着剤が接着しない液体を塗布することである、（１）〜（３）のいずれかに記載のラップフィルム収納箱。
（５）前記補助脇板に対する前記加工は、前記折り込み部に凹部を形成すること、又は前記接着剤の塗布領域に凸部を形成することの少なくともいずれかである、（１）〜（３）のいずれかに記載のラップフィルム収納箱。
（６）ラップフィルムの筒状のフィルム巻回体を収納する、前板、底板、後板、脇板、及び補助脇板を有する上面が開口した直方体状の収納部と、前記収納部の上面開口を開閉する蓋部と、を有するラップフィルム収納箱を製造する方法であって、前記フィルム巻回体の内側に折り込む折り込み部が形成された前記補助脇板に、前記折り込み部の少なくとも一部に接着剤が付着しない、あるいは付着しにくい加工を施す工程と、前記補助脇板を前記脇板の内側に配置し、前記脇板と接着剤により接着する工程と、を有する、ラップフィルム収納箱の製造方法。
（７）前記補助脇板に対する前記加工を少なくとも前記折り込み部の上部に施し、前記接着剤を前記補助脇板における前記折り込み部より上側に塗布する、（６）に記載のラップフィルム収納箱の製造方法。
（８）前記折り込み部の外縁は、略水平方向に延設された折り線と、その下側に位置し、前記折り線の両端に繋がる切れ線とより形成されており、前記補助脇板に対する前記加工を前記折り線を含む領域に施す、（７）に記載のラップフィルム収納箱の製造方法。
（９）前記補助脇板に対する前記加工は、前記接着剤が接着しない液体を塗布することである、（６）〜（８）のいずれかに記載のラップフィルム収納箱の製造方法。
（１０）前記補助脇板に対する前記加工は、前記折り込み部に凹部を形成すること、又は前記接着剤の塗布領域に凸部を形成することの少なくともいずれかである、（６）〜（８）のいずれかに記載のラップフィルム収納箱の製造方法。
【発明の効果】
【０００９】
本発明によれば、補助脇板の折り込み部に接着剤が付着することを防止できるので、折り込み部が適切に機能し、フィルム巻回体の飛び出し防止機能と取り出し容易性を確保できる。
【図面の簡単な説明】
【００１０】
【図１】ラップフィルム収納箱の概略を示す斜視図である。
【図２】ラップフィルム収納箱の表面の展開図である。
【図３】ラップフィルム収納箱の側部の断面図である。
【図４】補助脇板の正面図である。
【図５】他の加工領域の例を示す補助脇板の正面図である。
【図６】補助脇板の凹部を示すラップフィルム収納箱の側部の断面図である。
【図７】補助脇板の凸部を示すラップフィルム収納箱の側部の断面図である。
【図８】補助脇板の折り込み部の各種寸法を説明するための図である。
【発明を実施するための形態】
【００１１】
本発明について、以下具体的に説明する。なお、以下の実施の形態は、本発明を説明するための例示であり、本発明はその実施の形態のみに限定されるものではない。同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１２】
図１は、本実施の形態にかかるラップフィルム収納箱の概略を示す斜視図であり、図２は、図１のラップフィルム収納箱の表面側の展開図である。
【００１３】
図１及び図２に示すようにラップフィルム収納箱１は、全体が直方体状を有しており、上面が開口し、フィルム巻回体Ｒを収納可能な収納部１０と、収納部１０の上面開口を閉鎖可能な蓋部１１を有している。収納部１０は、図２に示すように前板２０と、底板２１と、後板２２と、底板２１の長手方向の両端に接続された脇板２４と、後板２２の長手方向の両端に接続された補助脇板２５と、前板２０の両端に接続された補助脇板２６を有している。また、前板２０の上端縁には、縁折片２７が接続されている。なお、縁折片２７は、あってもなくてもよく、前板２０の裏面に接着されていてもよい。
【００１４】
蓋部１１は、収納部１０の後板２２の上端縁から収納部１０の上面開口を覆う方向に延設された蓋板３０と、蓋板３０から収納部１０の前板２０側に延設された掩蓋片３１と、蓋板３０の長手方向の両端に接続された掩蓋片脇板３２と、掩蓋片３１の長手方向の両端に接続された掩蓋片補助脇板３３と、掩蓋片３１の先端に接続された開封片３４を有している。
【００１５】
開封片３４は、収納部１０の前板２０の前面下部に位置し、ラップフィルム収納箱１の長手方向に沿って帯状に形成されている。開封片３４は、掩蓋片３１の先端縁に切り取り線３５を介して接続されている。開封前、開封片３４は、前板２０の表面に接着されている。よって、この開封片３４によって蓋部１１が封止されており、開封片３４を切り取り線３５に沿って切り取ることによって蓋部１１を開封することができる。
【００１６】
掩蓋片３２の先端部の裏側には、収納部１０のフィルム巻回体Ｒから引き出されたラップフィルムＦを切断する切断部としての鋸刃５０が設けられている。鋸刃５０は、ラップフィルム収納箱１（掩蓋片３１）の長手方向の両側端に亘って形成されている。鋸刃５０は、開封片２０を切り取った時に、掩蓋片３１の先端縁から突出する。なお、この鋸刃５０などの切断部の材質は、金属、プラスチック、バルカナイズドファイバー等であり、切断部の形状は、直線状、Ｖ状、アーチ、Ｍ字状等従来公知のものであれば特に制限はない。
【００１７】
収納部１０の補助脇板２５は、脇板２４の内側に重ねて配置される。補助脇板２５には、図３に示すように内側に折り込んで、フィルム巻回体Ｒの芯体Ｒ１の内部へ挿入する折り込み部５０が形成されている。図４に示すように折り込み部５０の外縁は、略水平方向に延設された折り線５０ａと、その下側に位置し、折り線５０ａの両端に繋がる切れ線５０ｂとより形成されている。折り線５０ａには、単に折り目が形成されているもののみならず、切り込みのある半切れ線のようなものも含まれる。折り線５０ａは、例えば前板２０側が高くなるように僅かに傾斜していてもよい。切れ線５０ｂは、下に凸の円弧状に湾曲している。
【００１８】
補助脇板２５の折り込み部５０より上側の所定の塗布領域Ａには、脇板２４と接着するための接着剤Ｂが塗布される。補助脇板２５における接着剤Ｂの塗布領域Ａの下方であって、折り込み部５０の上部を覆う加工領域Ｃには、接着剤Ａが付着しない、或いは接着剤Ａが付着しにくい加工が施されている。加工領域Ｃは、例えば折り線５０ａを含む四角形状に形成されている。この加工領域Ｃには、例えば接着剤Ａと接着しないニスが塗布されている。
【００１９】
図１〜図３に示すように脇板２４には、外側から補助脇板２５の折り込み部５０を押して折り込み部５０を内側に折り込むための押し込み片６０が形成されている。押し込み片６０は、例えば四角状に形成され、図１及び図２に示す上辺の折り線６０ａと、側辺及び下辺からなる切れ線６０ｂにより形成されている。折り線６０ａには、単に折り目が形成されているもののみならず、切り込みのある半切れ線のようなものも含まれる。
【００２０】
なお、以上のラップフィルム収納箱１を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００２１】
次に、ラップフィルム収納箱１の製造方法について説明する。先ず、ラップフィルム収納箱１の板紙状の原紙が印刷加工される。この際、補助脇板２５の加工領域Ｃには、ニスが塗布され、接着剤Ｂが付着しない、或いは付着しにくい加工が施される。次に、原紙が、展開されたラップフィルム収納箱１の形に打ち抜かれる。次に、フィルム巻回体Ｒを収納しながらラップフィルム収納箱１が組み立てられる。この際、補助脇板２５の塗布領域Ａには接着剤Ｂが塗布され、その後、補助脇板２５が、脇板２４の内側に配置され、脇板２４と補助脇板２５が接着剤Ｂにより圧着される。
【００２２】
ラップフィルム収納箱１を組み立てる際には、脇板２４の押し込み片６０が外側から押され、補助脇板２５の折り込み部５０が内側に折り込まれ、フィルム巻回体Ｒが支持される。
【００２３】
本実施の形態によれば、補助脇板２５の所定の加工領域Ｃに、折り込み部５０に接着剤Ｂが付着しない、あるいは付着しにくい加工が施されているで、補助脇板２５と脇板２４を接着するための接着剤Ｂが、折り込み部５０に付着して折り込み部５０が折り込まれなくなることを防止できる。よって、折り込み部５０が適切に機能し、フィルム巻回体Ｒの飛び出し防止機能と取り出し容易性を確保できる。
【００２４】
また、接着剤Ｂが、補助脇板２５における折り込み部５０より上側に塗布され、補助脇板５０に対する加工領域Ｃが、少なくとも折り込み部５０の上部に施されているので、接着剤Ｂが垂れて広がろうとしても、折り込み部５０に接着剤Ｂが付着することを効果的に防止できる。
【００２５】
また、加工領域Ｃは、折り込み部５０の折り線５０ａを含む領域に施されているので、加工領域Ｃを最小限に抑えることができる。これによりコストを低減できる。なお、折り線５０ａを含む領域は、折り線５０ａから１５ｍｍ以内がより好ましい。
【００２６】
上記実施の形態における補助脇板２５の加工領域Ｃは、折り込み部５０の上部を含む領域であったが、折り込み部５０への接着剤Ｂの付着を防止できるものであれば、他の位置、広さ、形を有するものであってもよい。例えば図５に示すように加工領域Ｃは、折り込み部５０の全体を含む四角形状のものであってもよい。また、加工領域Ｃは、折り込み部５０の全体を含む三角形状、円形状のものであってもよいし、折り込み部５０の折り線５０ａ及び切れ線５０ｂに沿った環状のものであってもよい。
【００２７】
また、折り込み部５０への接着剤Ｂの付着を防止する、あるいは抑制するための加工は、図６に示すように折り込み部５０の少なくとも一部に凹部（凹エンボス）７０を形成するものであってよい。かかる場合、その加工領域Ｃは、上記実施の形態と同様であり、例えば折り込み部５０の折り線５０ａを含む上部であってもよい。この凹部７０を形成する加工は、例えばプレス加工により行うことができる。かかる場合、接着剤Ｂが折り込み部５０側に広がって折り込み部５０に付着することを抑制できる。また、図７に示すように接着剤Ｂが塗布される塗布領域Ａに凸部（凸エンボス）８０を形成してもよい。かかる場合も、接着剤Ｂが折り込み部５０に付着することを抑制できる。なお、これらの凸部７０と凹部８０の両方を形成してもよい。
【００２８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２９】
例えば以上の実施の形態では、折り込み部５０のある補助脇板２５が後板２２の両側端に接続されたものであったが、底板２１や前板２０の両側端に接続されたものであってもよい。また、脇板２４が後板２２や前板２０に接続されている場合にも本発明は適用できる。また、以上の実施の形態では、接着剤Ｂが補助脇板２５に塗布されていたが、脇板２４側に塗布されてもよい。
【００３０】
また、以上の実施の形態において、折り込み部５０の形状、配置は任意に選択できる。例えば折り込み部５０の切れ線５０ｂは、折り線５０ａの上側に位置してもよい。ただし、上記実施の形態のように切れ線５０ｂは、折り線５０ａの下側にあるのが好ましく、かかる場合、折り込み部５０がファイル巻回体Ｒの飛び出しを効果的に防ぐことができる。更に折り込み部５０の折り線５０ａの中心位置が、ラップフィルム収納箱１の側面高さの上方から２０〜５０％の範囲にあることが好ましい。このような範囲にあればラップフィルム収納箱１からフィルム巻回体Ｒを取り出す際に、折り込み部５０の稼働支点が上方にあるため、取り出し容易性を向上できるとともに、ラップフィルム収納箱１の組み立て容易性も向上できる。より好ましくは３０〜４５％の範囲である。
【００３１】
また、図８に示すラップフィルム収納箱１の折り込み部５０の最大横幅Ｌと芯体Ｒ１の内径Ｄの関係は、０．５≦Ｌ／Ｄ≦０．７５であることが好ましい。このような範囲であれば、ラップフィルムの引き出し易さの確保と、フィルム巻回体Ｒの飛び出し防止を両立しやすい。さらにラップフィルム収納箱１の折り込み部５０の折り線５０ａの水平幅Ｓと芯体Ｒ１の内径Ｄの関係は、０．４≦Ｓ／Ｄ≦０．６４であることが好ましい。このような範囲であれば、フィルム巻回体Ｒの飛び出しをより確実に防止しつつ、取り出しやすさを確保できる。さらに、ラップフィルム収納箱１の折り込み部５０は、折り線５０ａが前板２０側を上端とし、後板２２側を下端とする傾斜が付与され、底辺に平行な直線となす角度θが、４°以上１２°以下の範囲にあることが好ましい。このような範囲にあれば、折り込み部５０の耐久性が格段に高くなり、フィルム巻回体Ｒの飛び出し防止効果が大きく、飛び出し防止と取り出しやすさを両立しやすくなる。
【産業上の利用可能性】
【００３２】
本発明は、補助脇板の折り込み部に接着剤が付着することを防止して、フィルム巻回体の飛び出し防止機能と取り出し容易性を確保する際に有用である。
【符号の説明】
【００３３】
１  ラップフィルム収納箱
１０  収納部
１１  蓋部
２０  前板
２１  底板
２２  後板
２４  脇板
２５  補助脇板
５０  折り込み部
Ａ  塗布領域
Ｂ  接着剤
Ｃ  加工領域
Ｒ  フィルム巻回体
【図１】
2015034044.tif 000003
【図２】
2015034044.tif 000004
【図３】
2015034044.tif 000005
【図４】
2015034044.tif 000006
【図５】
2015034044.tif 000007
【図６】
2015034044.tif 000008
【図７】
2015034044.tif 000009
【図８】
2015034044.tif 000010